(57)【要約】【課題】投影システムにおいて、簡易な構成で高画質な画像を表示可能にする技術を提供する。【解決手段】本発明の投影システムは、投影面の投影領域に対する投影を行うことにより第１画像データに基づく第１画像を前記投影領域に表示する第１投影装置と、前記投影領域に対する投影を行うことにより第２画像データに基づく第２画像を前記投影領域に表示する第２投影装置と、を含む複数の投影装置を有し、前記第１投影装置は、前記投影領域に対応する第１光源と、前記第１光源からの光を前記第１画像データに基づいて変調する第１変調手段と、を有し、前記第２投影装置は、前記投影領域を構成する複数の分割領域にそれぞれ対応する複数の第２光源と、前記複数の第２光源からの光を前記第２画像データに基づいて変調する第２変調手段と、を有し、前記第１光源の発光量の上限は、前記第２光源の発光量の上限よりも高い。【選択図】図１
2018063326.tif 000002
【特許請求の範囲】
【請求項１】
投影面の投影領域に対する投影を行うことにより第１画像データに基づく第１画像を前記投影領域に表示する第１投影装置と、
前記投影領域に対する投影を行うことにより第２画像データに基づく第２画像を前記投影領域に表示する第２投影装置と、
を含む複数の投影装置を有し、
前記第１投影装置は、
前記投影領域に対応する第１光源と、
前記第１光源からの光を前記第１画像データに基づいて変調する第１変調手段と、
を有し、
前記第２投影装置は、
前記投影領域を構成する複数の分割領域にそれぞれ対応する複数の第２光源と、
前記複数の第２光源からの光を前記第２画像データに基づいて変調する第２変調手段と、
を有し、
前記第１光源の発光量の上限は、前記第２光源の発光量の上限よりも高い
ことを特徴とする投影システム。
【請求項２】
元画像データに基づいて、前記第１光源の発光量と、各第２光源の発光量とが制御され、
前記第１画像データは、前記第１光源の発光量に基づいて前記元画像データを補正することによって得られた画像データであり、
前記第２画像データは、各第２光源の発光量に基づいて前記元画像データを補正することによって得られた画像データである
ことを特徴とする請求項１に記載の投影システム。
【請求項３】
前記第１画像データは、前記第１画像の輝度が前記元画像データに応じた目標輝度に近づくように前記元画像データを補正することによって得られた画像データであり、
前記第２画像データは、前記第２画像の輝度が前記目標輝度に近づくように前記元画像データを補正することによって得られた画像データである
ことを特徴とする請求項２に記載の投影システム。
【請求項４】
前記第１光源の発光量が制御され、前記元画像データと、前記第１光源の発光量とに基づいて、各第２光源の発光量が制御される
ことを特徴とする請求項２または３に記載の投影システム。
【請求項５】
前記元画像データが、暗部の階調性の高い表示が実現されるべき画像データである場合に、前記第１光源の発光量が下限に制御され、前記元画像データと、前記第１光源の発光量の前記下限とに基づいて、各第２光源の発光量が制御され、
前記元画像データが、明部の階調性の高い表示が実現されるべき画像データである場合に、前記第１光源の発光量が前記上限に制御され、前記元画像データと、前記第１光源の発光量の前記上限とに基づいて、各第２光源の発光量が制御される
ことを特徴とする請求項２〜４のいずれか１項に記載の投影システム。
【請求項６】
前記複数の分割領域のそれぞれについて、前記元画像データに応じた発光量に対する前記第１光源の発光量の不足分が前記第２光源によって補われるように、前記第２光源の発光量が制御される
ことを特徴とする請求項４または５に記載の投影システム。
【請求項７】
情報処理装置をさらに有し、
前記情報処理装置は、
前記元画像データに基づいて、前記第１光源の発光量と、各第２光源の発光量とを決定する決定手段と、
前記決定手段によって決定された前記第１光源の発光量を前記第１投影装置に通知する第１通知手段と、
前記決定手段によって決定された各第２光源の発光量を前記第２投影装置に通知する第２通知手段と、
を有する
ことを特徴とする請求項２〜６のいずれか１項に記載の投影システム。
【請求項８】
前記情報処理装置は、
前記第１投影装置と前記第２投影装置のそれぞれについて、投影装置の光源に関する光源情報を取得する取得手段、
をさらに有し、
前記決定手段は、前記元画像データ、前記第１投影装置の光源情報、及び、前記第２投影装置の光源情報に基づいて、前記第１光源の発光量と、各第２光源の発光量とを決定する
ことを特徴とする請求項７に記載の投影システム。
【請求項９】
前記第１投影装置と前記第２投影装置の一方である第３投影装置は、
前記元画像データに基づいて、前記第１光源の発光量と、各第２光源の発光量とを決定する決定手段と、
前記第１投影装置と前記第２投影装置の他方である第４投影装置の光源について決定された発光量を前記第４投影装置に通知する通知手段と、
を有する
ことを特徴とする請求項２〜６のいずれか１項に記載の投影システム。
【請求項１０】
前記第３投影装置は、
前記第３投影装置の光源に関する光源情報を記憶する記憶手段と、
前記第４投影装置の光源に関する光源情報を取得する取得手段と、
をさらに有し、
前記決定手段は、前記元画像データ、前記第１投影装置の光源情報、及び、前記第２投影装置の光源情報に基づいて、前記第１光源の発光量と、各第２光源の発光量とを決定する
ことを特徴とする請求項９に記載の投影システム。
【請求項１１】
前記光源情報は、
光源の発光量の範囲に関する情報、
光源に対応する領域に関する情報、及び、
光源の発光量を部分的に制御可能か否かに関する情報、
の少なくともいずれかを含む
ことを特徴とする請求項８または１０に記載の投影システム。
【請求項１２】
前記第１光源は、ランプ光源であり、
前記第２光源は、固体光源である
ことを特徴とする請求項１〜１１のいずれか１項に記載の投影システム。
【請求項１３】
第１投影装置と第２投影装置を含む複数の投影装置を有する投影システムの制御方法であって、
前記第１投影装置が、投影面の投影領域に対する投影を行うことにより第１画像データに基づく第１画像を前記投影領域に表示するステップと、
前記第２投影装置が、前記投影領域に対する投影を行うことにより第２画像データに基づく第２画像を前記投影領域に表示するステップと、
を有し、
前記第１投影装置は、
前記投影領域に対応する第１光源と、
前記第１光源からの光を前記第１画像データに基づいて変調する第１変調手段と、
を有し、
前記第２投影装置は、
前記投影領域を構成する複数の分割領域にそれぞれ対応する複数の第２光源と、
前記複数の第２光源からの光を前記第２画像データに基づいて変調する第２変調手段と、
を有し、
前記第１光源の発光量の上限は、前記第２光源の発光量の上限よりも高い
ことを特徴とする制御方法。
【請求項１４】
請求項１３に記載の制御方法の各ステップをコンピュータに実行させるためのプログラム。
【発明の詳細な説明】
【技術分野】
【０００１】
本発明は、投影システム及びその制御方法に関する。
【背景技術】
【０００２】
プロジェクタの利用機会や利用方法の増加に伴い、プロジェクタによって表示された画像（表示画像）に対して要求される画質（輝度、階調性、コントラスト）が高まっている。プロジェクタの利用方法として、「スタック投影」などと呼ばれる投影のためにプロジェクタを利用する方法がある。スタック投影では、複数のプロジェクタのそれぞれが投影領域（投影面の少なくとも一部の領域）に対する投影を行う。そして、スタック投影では、複数のプロジェクタの間で投影領域が共通する。そのため、スタック投影では、複数のプロジェクタの複数の表示画像が重なり合う。そして、スタック投影では、複数の表示画像の重なり合いにより、表示画像（複数の表示画像が重なり合うことで得られた合成画像）の輝度を高めることができる。
【０００３】
スタック投影に関する技術は、例えば、特許文献１に開示されている。特許文献１に開示の技術では、スタック投影において、複数のプロジェクタのいずれかによって低輝度側の階調性が高い画像が表示され、複数のプロジェクタのいずれかによって高輝度側の階調性が高い画像が表示される。それにより、合成画像の階調数を増やすことができる。また、特許文献１に記載の技術では、スタック投影において、入力画像データの輝度に応じて各プロジェクタの光源の発光量が制御される。それにより、合成画像のコントラストを向上することができる。
【０００４】
また、「ローカルディミング制御」などと呼ばれるコントラスト改善技術が実用化されている。ローカルディミング制御を実行可能な液晶表示装置では、例えば、バックライトユニットの光源として、ＬＥＤ（発光ダイオード）などの固体光源が複数使用される。そして、液晶表示装置のローカルディミング制御では、入力画像データに応じて各固体光源の発光量が個別に制御される。入力画像データの輝度が低い表示領域（画面の少なくとも一部の領域）に対応する固体光源の発光量を低減することにより、当該表示領域における黒浮きを低減することができる。光源としてＬＥＤを有するプロジェクタがある。プロジェクタの光源として複数のＬＥＤを用いれば、ローカルディミング制御によって表示画像のコントラストを向上することができるプロジェクタを提供することができる。
【０００５】
スタック投影を行う投影システムとして、各々の光源がＬＥＤである複数のプロジェクタを有する投影システム（ＬＥＤ投影システム）、各々の光源がランプ光源である複数のプロジェクタを有する投影システム（ランプ投影システム）、等が考えられる。ＬＥＤ投影システムでは、ランプ投影システムに比べて、合成画像の黒浮きを抑制することができる。しかし、ＬＥＤなどの固体光源の発光量の上限は、ランプ光源の発光量の上限よりも低い。そのため、光源がＬＥＤであるプロジェクタ（ＬＥＤプロジェクタ）の表示画像の輝度の上限は、光源がランプ光源であるプロジェクタ（ランププロジェクタ）の表示画像の輝度の上限よりも低い。ＬＥＤ投影システムの合成画像の輝度の上限として、ランプ投影システムの合成画像の輝度の上限と同等の輝度を実現するためには、多数のＬＥＤプロジェクタを用いる必要があり、投影システムのコストが増大する。また、スタック投影に用いるプロジェクタの数が増えると、各プロジェクタの表示画像の位置ズレによる合成画像の画質劣化（鮮鋭感の低下など）が生じやすくなる。
【先行技術文献】
【特許文献】
【０００６】
【特許文献１】特開２０１１−００２６６６号公報
【発明の概要】
【発明が解決しようとする課題】
【０００７】
本発明は、投影システムにおいて、簡易な構成で高画質な画像を表示可能にする技術を提供することを目的とする。
【課題を解決するための手段】
【０００８】
本発明の第１の態様は、
投影面の投影領域に対する投影を行うことにより第１画像データに基づく第１画像を前記投影領域に表示する第１投影装置と、
前記投影領域に対する投影を行うことにより第２画像データに基づく第２画像を前記投影領域に表示する第２投影装置と、
を含む複数の投影装置を有し、
前記第１投影装置は、
前記投影領域に対応する第１光源と、
前記第１光源からの光を前記第１画像データに基づいて変調する第１変調手段と、
を有し、
前記第２投影装置は、
前記投影領域を構成する複数の分割領域にそれぞれ対応する複数の第２光源と、
前記複数の第２光源からの光を前記第２画像データに基づいて変調する第２変調手段と、
を有し、
前記第１光源の発光量の上限は、前記第２光源の発光量の上限よりも高い
ことを特徴とする投影システムである。
【０００９】
本発明の第２の態様は、
第１投影装置と第２投影装置を含む複数の投影装置を有する投影システムの制御方法であって、
前記第１投影装置が、投影面の投影領域に対する投影を行うことにより第１画像データに基づく第１画像を前記投影領域に表示するステップと、
前記第２投影装置が、前記投影領域に対する投影を行うことにより第２画像データに基づく第２画像を前記投影領域に表示するステップと、
を有し、
前記第１投影装置は、
前記投影領域に対応する第１光源と、
前記第１光源からの光を前記第１画像データに基づいて変調する第１変調手段と、
を有し、
前記第２投影装置は、
前記投影領域を構成する複数の分割領域にそれぞれ対応する複数の第２光源と、
前記複数の第２光源からの光を前記第２画像データに基づいて変調する第２変調手段と、
を有し、
前記第１光源の発光量の上限は、前記第２光源の発光量の上限よりも高い
ことを特徴とする制御方法である。
【００１０】
本発明の第３の態様は、本発明の第２の態様である制御方法の各ステップをコンピュータに実行させるためのプログラムである。
【発明の効果】
【００１１】
本発明によれば、投影システムにおいて、簡易な構成で高画質な画像が表示可能となる。
【図面の簡単な説明】
【００１２】
【図１】実施例１に係る投影システムの構成例
【図２】実施例１に係る光源情報の一例
【図３】実施例１に係る投影システムの処理フローの一例
【図４】実施例１に係る元画像データ、システム光量、及び、発光量の一例
【図５】実施例１に係る元画像データ、システム光量、及び、発光量の一例
【図６】実施例２に係る投影システムの構成例
【図７】実施例２に係る光源情報の一例
【発明を実施するための形態】
【００１３】
＜実施例１＞
以下、本発明の実施例１について説明する。図１（Ａ）は、本実施例に係る投影システムの構成例を示す。図１（Ａ）に示すように、本実施例に係る投影システムは、画像出力装置１００、ランププロジェクタ１１０、及び、ＬＥＤプロジェクタ１２０を有する。ランププロジェクタ１１０とＬＥＤプロジェクタ１２０のそれぞれは、画像出力装置１００に接続されている。
【００１４】
なお、本実施例に係るプロジェクタ（ランププロジェクタ１１０、ＬＥＤプロジェクタ１２０、等）は、画像出力装置１００に直接的に接続されてもよいし、他の装置（サーバなど）を介して画像出力装置１００に間接的に接続されてもよい。本実施例に係るプロジェクタは、ケーブルを用いて画像出力装置１００に接続されてもよいし、無線で画像出力装置１００に接続されてもよい。ランププロジェクタ１１０と画像出力装置１００の接続方法は、ＬＥＤプロジェクタ１２０と画像出力装置１００の接続方法と同じであってもよいし、異なっていてもよい。例えば、ランププロジェクタ１１０とＬＥＤプロジェクタ１２０の両方がケーブルを用いて画像出力装置１００に接続されてもよい。ランププロジェクタ１１０とＬＥＤプロジェクタ１２０の一方がケーブルを用いて画像出力装置１００に接続され、ランププロジェクタ１１０とＬＥＤプロジェクタ１２０の他方が無線で画像出力装置１００に接続されてもよい。
【００１５】
画像出力装置１００は、様々な情報処理を実行する情報処理装置である。本実施例では、画像出力装置１００は、画像データの生成、画像データの出力、投影装置が有する光源の発光量（発光輝度）の決定、光源の発光量の通知、等を行う。画像出力装置１００としては、パーソナルコンピュータ（ＰＣ）、タブレット端末、記録媒体（磁気ディスク、光ディスク、半導体メモリ、等）に記録された画像データの再生を行う再生装置、等を用いることができる。
【００１６】
ランププロジェクタ１１０は、投影面（不図示）の投影領域に対する投影を行うことにより、第１画像データに基づく第１画像を当該投影領域に表示する第１投影装置である。ＬＥＤプロジェクタ１２０は、投影領域に対する投影を行うことにより、第２画像データに基づく第２画像を当該投影領域に表示する第２投影装置である。投影面は、スクリーンボードの表面、スクリーンシートの表面、壁面、等である。本実施例に係るプロジェクタ（ランププロジェクタ１１０、ＬＥＤプロジェクタ１２０、等）としては、ライトバルブ方式のプロジェクタなどを用いることができる。例えば、本実施例に係るプロジェクタとして、光源と液晶パネルとを有する液晶プロジェクタを用いることができる。本実施例に係るプロジェクタとして、液晶パネルの液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式プロジェクタを用いることもできる。
【００１７】
なお、第１投影装置の変調パネルは、第２投影装置の変調パネルと同じであってもよいし、異なっていてもよい。例えば、第１投影装置の変調パネルと第２投影装置の変調パネルとの両方が液晶パネルであってもよい。第１投影装置の変調パネルと第２投影装置の変調パネルとの一方が液晶パネルであり、第１投影装置の変調パネルと第２投影装置の変調パネルとの他方がＭＥＭＳシャッターパネルであってもよい。ＭＥＭＳシャッターパネルは、液晶パネルの液晶素子の代わりにＭＥＭＳシャッターを有する変調パネルである。
【００１８】
本実施例では、画像出力装置１００が、第１画像データの生成、第２画像データの生成、ランププロジェクタ１１０が有する光源（第１光源）の発光量の決定、ＬＥＤプロジェクタ１２０が有する光源（第２光源）の発光量の決定、等を行う。そして、ランププロジェクタ１１０とＬＥＤプロジェクタ１２０のそれぞれは、画像出力装置１００からのデータ（情報）に応じて投影を行う。
【００１９】
本実施例に係る投影システムでは、スタック投影が行われる。具体的には、ランププロジェクタ１１０が投影を行う投影領域は、ＬＥＤプロジェクタ１２０が投影を行う投影領域と等しい。即ち、第１画像が表示される投影領域は、第２画像が表示される投影領域と等しい。なお、本実施例に係る投影システムが有するプロジェクタ（投影装置）の数は、２台より多くてもよい。例えば、本実施例に係る投影システムにおいて、３台以上のプロジェクタを用いたスタック投影が行われてもよい。
【００２０】
画像出力装置１００は、画像生成部１０１、特徴量取得部１０２、システム制御部１０３、システム光量決定部１０４、プロジェクタ光量決定部１０５、第１データ生成部１０６、第２データ生成部１０７、及び、通信部１０８を有する。
【００２１】
画像生成部１０１は、表示対象の画像データから、複数のフレームに対応する複数の画像データを取得する。そして、画像生成部１０１は、複数のフレームに対応する複数の画像データを順次出力する。
【００２２】
なお、表示対象の画像データの取得方法は特に限定されない。例えば、画像出力装置１００が有する記憶部（不図示）に１つ以上の画像データが予め記録されおり、画像生成部１０１が、記憶部に記録された画像データを、表示対象の画像データとして、記憶部から読み出してもよい。記憶部としては、磁気ディスク、光ディスク、半導体メモリ、等を使用することができる。記憶部は、画像出力装置１００に内蔵されていてもよいし、画像出力装置１００に対して着脱可能であってもよい。画像生成部１０１が、画像出力装置１００の外部から画像出力装置１００の内部に入力された画像データを、表示対象の画像データとして取得してもよい。
【００２３】
なお、複数のフレームに対応する複数の画像データの取得方法も特に限定されない。例えば、表示対象の画像データが静止画データである場合には、画像生成部１０１は、当該静止画データを所定のフレームレートで繰り返し出力する。即ち、複数のフレームに対応する複数の画像データのそれぞれとして、表示対象の画像データである静止画データが使用される。表示対象の画像データが動画データである場合には、画像生成部１０１は、当該動画データを出力する。即ち、複数のフレームに対応する複数の画像データのそれぞれとして、表示対象の画像データである動画データのフレームデータ（１フレームの画像データ）が使用される。画像生成部１０１は、動画データのフレームレートを所定のフレームレートに変換し、フレームレートが変換された後の動画データを出力してもよい。
【００２４】
特徴量取得部１０２は、画像生成部１０１から出力された画像データ（元画像データ）から、元画像データの特徴量を取得する。本実施例では、特徴量として、元画像データの
各画素の輝度（元画像データの輝度値；元輝度値）が取得される。なお、特徴量は特に限定されない。例えば、投影領域を構成する複数の分割領域にそれぞれ対応する、元画像データの複数の輝度が、特徴量として取得されてもよい。具体的には、複数の分割領域のそれぞれについて、分割領域の輝度ヒストグラム（分割領域における各画素の元輝度値のヒストグラム）が取得されてもよい。複数の分割領域のそれぞれについて、分割領域の代表輝度値（分割領域における各画素の元輝度値を代表する値）が取得されてもよい。代表輝度値は、例えば、分割領域における複数の画素に対応する複数の元輝度値の最大値、複数の元輝度値の最小値、複数の元輝度値の平均値、複数の元輝度値の中間値、複数の元輝度値の最頻値、等である。輝度値の代わりに、赤色の輝度に対応するＲ値、緑色の輝度に対応するＧ値、青色の輝度に対応するＢ値、等の他の階調値が使用されてもよい。
【００２５】
システム制御部１０３は、ランププロジェクタ１１０の第１光源に関する光源情報を、通信部１０８を介してランププロジェクタ１１０から取得する。また、システム制御部１０３は、ＬＥＤプロジェクタ１２０の第２光源に関する光源情報を、通信部１０８を介してＬＥＤプロジェクタ１２０から取得する。そして、システム制御部１０３は、取得した光源情報を解析し、光量制御情報を生成する。光量制御情報は、例えば、システム光量の範囲、システム光量を個別に変更可能な複数の領域（複数の分割領域）、等を示す情報である。システム光量は、投影システムを１台のプロジェクタとしてみた場合における光源の発光量である。本実施例では、システム光量は、第１光源の発光量に第２光源の発光量を加算することにより得られる発光量である。
【００２６】
なお、光源情報は、プロジェクタとは異なる装置から取得されてもよい。例えば、光源情報は、インターネット上からダウンロードされてもよい。画像出力装置１００は、光源情報と光量制御情報の少なくとも一方を予め記憶していてもよい。
【００２７】
また、システム制御部１０３は、画像出力装置１００が有する複数のデータ生成部にそれぞれ対応する複数のプロジェクタを決定する。そして、システム制御部１０３は、データ生成部に対応するプロジェクタを当該データ生成部に通知する処理を、各データ生成部について行う。データ生成部では、当該データ生成部に対応するプロジェクタに出力する画像データが生成される。本実施例では、第１データ生成部１０６にランププロジェクタ１１０が対応し、第２データ生成部１０７にＬＥＤプロジェクタ１２０が対応する。
【００２８】
システム光量決定部１０４は、元画像データに基づいて、システム光量を決定する。本実施例では、システム光量決定部１０４は、元画像データ、ランププロジェクタ１１０の光源情報、及び、ＬＥＤプロジェクタ１２０の光源情報に基づいて、システム光量を決定する。具体的には、システム光量決定部１０４は、システム制御部１０３によって生成された光量制御情報と、特徴量取得部１０２よって取得された特徴量とに基づいて、システム光量を決定する。本実施例では、複数の分割領域のそれぞれについてシステム光量が決定される。システム光量の決定方法は特に限定されないが、本実施例では、分割領域に対応する輝度（元画像データの輝度）が低いほど低いシステム光量が決定される。分割領域に対応する輝度は、分割領域における各画素の元輝度値から判断することができる。そのため、各画素の元輝度値が低い分割領域に対して、各画素の元輝度値が高い分割領域のシステム光量よりも低いシステム光量が決定される。
【００２９】
プロジェクタ光量決定部１０５は、元画像データに基づいて、第１光源の発光量と第２光源の発光量とを決定する。本実施例では、プロジェクタ光量決定部１０５は、元画像データ、ランププロジェクタ１１０の光源情報、及び、ＬＥＤプロジェクタ１２０の光源情報に基づいて、第１光源の発光量と第２光源の発光量とを決定する。具体的には、プロジェクタ光量決定部１０５は、システム光量決定部１０４によって決定されたシステム光量に基づいて、第１光源の発光量と第２光源の発光量とを決定する。より具体的には、プロ
ジェクタ光量決定部１０５は、ランププロジェクタ１１０の光源情報とＬＥＤプロジェクタ１２０の光源情報とを、システム制御部１０３から取得する。プロジェクタ光量決定部１０５は、取得した光源情報から、第１光源の発光量の範囲、第２光源の発光量の範囲、等を判断する。そして、プロジェクタ光量決定部１０５は、システム光量、第１光源の発光量の範囲、第２光源の発光量の範囲、等に基づいて、第１光源の発光量と第２光源の発光量とを決定する。
【００３０】
第１データ生成部１０６は、第１光源の発光量（プロジェクタ光量決定部１０５によって決定された発光量）に基づいて元画像データを補正することにより、第１画像データを生成する。第２データ生成部１０７は、第２光源の発光量（プロジェクタ光量決定部１０５によって決定された発光量）に基づいて元画像データを補正することにより、第２画像データを生成する。第１データ生成部１０６は、ランププロジェクタ１１０に設けられていてもよいし、第２データ生成部１０７は、ＬＥＤプロジェクタ１２０に設けられていてもよい。図１（Ｂ）は、第１データ生成部１０６と第２データ生成部１０７との構成例を示す。図１（Ｂ）に示すように、第１データ生成部１０６は、第１データ補正部１０６１と第１データ出力部１０６２を有し、第２データ生成部１０７は、第１データ補正部１０７１と第１データ出力部１０７２を有する。
【００３１】
第１データ補正部１０６１は、第１光源の発光量に基づいて元画像データを補正することにより、第１画像データを生成する。そして、第１データ補正部１０６１は、生成した第１画像データを、第１データ出力部１０６２に出力する。
【００３２】
具体的には、第１データ補正部１０６１は、システム制御部１０３からの通知に応じて、第１データ生成部１０６にランププロジェクタ１１０が対応すると判断する。そして、第１データ補正部１０６１は、ランププロジェクタ１１０が有する第１光源の発光量の情報を、プロジェクタ光量決定部１０５から取得する。その後、第１データ補正部１０６１は、第１光源の発光量に基づいて元画像データを補正することにより、第１画像データを生成する。
【００３３】
第１画像データが変化しない場合において、第１光源の発光量の変化により、第１画像の輝度（投影面上の輝度；投影輝度）が変化する。そのため、本実施例では、第１データ補正部１０６１は、第１画像の投影輝度が元画像データに応じた目標輝度に近づくように、元画像データを補正する。例えば、第１データ補正部１０６１は、元画像データの各画素について、第１光源から液晶パネルに入射する光の光量を推定する。そして、第１データ補正部１０６１は、各画素について、第１画像データの画素値と推定された光量とから決まる投影輝度（第１画像の投影輝度）が、できる限り目標輝度に近づくように、元画像データの画素値を補正する。例えば、第１光源の発光量が基準光量から高められることにより、第１画像の投影輝度が目標輝度よりも高くなる場合には、元画像データの輝度を低減する補正により、第１画像の投影輝度が目標輝度に近づけられる。目標輝度は、例えば、元輝度値に対応する輝度である。
【００３４】
第１データ出力部１０６２は、第１データ補正部１０６１によって生成された第１画像データを、第１データ生成部１０６に対応するプロジェクタに出力する。上述したように、第１データ生成部１０６に対応するプロジェクタは、システム制御部１０３からの通知に応じて判断される。本実施例では、第１データ出力部１０６２は、第１画像データをランププロジェクタ１１０に出力する。
【００３５】
第２データ補正部１０７１は、第２光源の発光量に基づいて元画像データを補正することにより、第２画像データを生成する。そして、第２データ補正部１０７１は、生成した第２画像データを、第２データ出力部１０７２に出力する。具体的には、第２データ補正
部１０７１は、システム制御部１０３からの通知に応じて、第２データ生成部１０７にＬＥＤプロジェクタ１２０が対応すると判断する。そして、第２データ補正部１０７１は、ＬＥＤプロジェクタ１２０が有する第２光源の発光量の情報を、プロジェクタ光量決定部１０５から取得する。その後、第２データ補正部１０７１は、第２光源の発光量に基づいて元画像データを補正することにより、第２画像データを生成する。本実施例では、第２データ補正部１０７１は、第２画像の投影輝度が目標輝度に近づくように、元画像データを補正する。
【００３６】
第２データ出力部１０７２は、第２データ補正部１０７１によって生成された第２画像データを、第２データ生成部１０７に対応するプロジェクタに出力する。本実施例では、第２データ出力部１０７２は、第２画像データをＬＥＤプロジェクタ１２０に出力する。
【００３７】
なお、第１画像データと第２画像データは上記画像データに限られない。例えば、合成画像の投影輝度がシステム目標輝度に近づくように第１画像データと第２画像データが生成されれば、第１画像の投影輝度と第２画像の投影輝度のそれぞれが目標輝度と異なっていてもよい。合成画像は、投影面において第１画像と第２画像とが重なり合うことで得られる画像である。システム目標輝度は、上記目標輝度、上記目標輝度の２倍の輝度、等である。第１画像データと第２画像データは予め用意された２つの画像データであってもよい。第１画像データの元となる画像データは、第２画像データの元となる画像データと異なっていてもよい。
【００３８】
通信部１０８は、ランププロジェクタ１１０との通信、ＬＥＤプロジェクタ１２０との通信、等を行う。本実施例では、通信部１０８は、ランププロジェクタ１１０との通信を行うことにより、ランププロジェクタ１１０の光源情報をランププロジェクタ１１０から取得し、取得した光源情報をシステム制御部１０３に通知する。同様に、通信部１０８は、ＬＥＤプロジェクタ１２０との通信を行うことにより、ＬＥＤプロジェクタ１２０の光源情報をＬＥＤプロジェクタ１２０から取得し、取得した光源情報をシステム制御部１０３に通知する。また、通信部１０８は、第１光源の発光量の情報と、第２光源の発光量の情報とを、プロジェクタ光量決定部１０５から取得する。そして、通信部１０８は、ランププロジェクタ１１０との通信を行うことにより、第１光源の発光量をランププロジェクタ１１０に通知する。同様に、通信部１０８は、ＬＥＤプロジェクタ１２０との通信を行うことにより、第２光源の発光量をＬＥＤプロジェクタ１２０に通知する。なお、ケーブルを用いて上記通信が行われてもよいし、無線で上記通信が行われてもよい。通信のためのケーブルとしては、ＵＳＢケーブル、ＬＡＮケーブル、ＤＰ（ＤＩＳＰＬＡＹ  ＰＯＲＴ）ケーブル、等を使用することができる。
【００３９】
ランププロジェクタ１１０は、画像入力部１１１、液晶パネル１１２、光源情報管理部１１３、ランプ光源部１１４、ランプ光源制御部１１５、及び、通信部１１６を有する。
【００４０】
画像入力部１１１は、画像出力装置１００から第１画像データを取得し、取得した第１画像データを液晶パネル１１２に出力する。液晶パネル１１２は、ランプ光源部１１４からの光を変調（透過または変調）する変調パネルである。液晶パネル１１２は、液晶パネル１１２に入力された画像データに基づいて、ランプ光源部１１４からの光を変調する。本実施例では、液晶パネル１１２は、画像入力部１１１から出力された第１画像データに基づいて、ランプ光源部１１４からの光を変調する。それにより、投影領域に第１画像が表示される。
【００４１】
具体的には、液晶パネル１１２は、複数の液晶素子を有する。例えば、液晶パネル１１２は、第１画像データの各画素について、赤色の光を出力する液晶素子、緑色の光を出力する液晶素子、及び、青色の光を出力する液晶素子を有する。そして、液晶パネル１１２
は、第１画像データに基づいて各液晶素子の変調率（透過率または反射率）を制御する。
【００４２】
光源情報管理部１１３は、ランププロジェクタ１１０の光源情報を管理する。光源情報管理部１１３が管理している光源情報は、所定のタイミングで、光源情報管理部１１３から通信部１１６を介して画像出力装置１００に出力される。所定のタイミングは特に限定されないが、所定のタイミングは、例えば、ランププロジェクタ１１０が画像出力装置１００に接続されたタイミングである。なお、ランププロジェクタ１１０の光源情報は、メーカによって予め定められた情報であってもよいし、ユーザからの指示、ランププロジェクタ１１０の使用環境、等に応じて変更される情報であってもよい。
【００４３】
ランプ光源部１１４は、投影領域全体に対応する１つの第１光源を有する。ランプ光源部１１４（第１光源）からの光は、液晶パネル１１２に照射される。第１光源は特に限定されないが、本実施例では、第１光源として、水銀ランプなどのランプ光源が使用される。
【００４４】
ランプ光源制御部１１５は、通信部１１６を介して画像出力装置１００から通知された発光量（第１光源の発光量）で第１光源が発光するように、ランプ光源部１１４の発光を制御する。
【００４５】
通信部１１６は、画像出力装置１００との通信を行う。本実施例では、通信部１１６は、光源情報管理部１１３からランププロジェクタ１１０の光源情報を取得し、画像出力装置１００との通信を行うことにより、取得した光源情報を画像出力装置１００に出力する。また、通信部１１６は、画像出力装置１００との通信を行うことにより、第１光源の発光量の情報を画像出力装置１００から取得し、取得した情報をランプ光源制御部１１５に出力する。
【００４６】
ＬＥＤプロジェクタ１２０は、画像入力部１２１、液晶パネル１２２、光源情報管理部１２３、ＬＥＤ光源部１２４、ＬＥＤ光源制御部１２５、及び、通信部１２６を有する。
【００４７】
画像入力部１２１は、画像出力装置１００から第２画像データを取得し、取得した第２画像データを液晶パネル１２２に出力する。液晶パネル１２２は、ＬＥＤ光源部１２４からの光を変調（透過または変調）する変調パネルである。液晶パネル１２２は、画像入力部１２１から出力された第２画像データに基づいて、ＬＥＤ光源部１２４からの光を変調する。それにより、投影領域に第２画像が表示される。
【００４８】
光源情報管理部１２３は、ＬＥＤプロジェクタ１２０の光源情報を管理する。光源情報管理部１２３が管理している光源情報は、所定のタイミングで、光源情報管理部１２３から通信部１２６を介して画像出力装置１００に出力される。所定のタイミングは特に限定されないが、所定のタイミングは、例えば、ＬＥＤプロジェクタ１２０が画像出力装置１００に接続されたタイミングである。なお、ＬＥＤプロジェクタ１２０の光源情報は、メーカによって予め定められた情報であってもよいし、ユーザからの指示、ＬＥＤプロジェクタ１２０の使用環境、等に応じて変更される情報であってもよい。
【００４９】
ＬＥＤ光源部１２４は、投影領域を構成する複数の分割領域にそれぞれ対応する複数の第２光源を有する。各光源の発光量は、個別に制御可能である。ＬＥＤ光源部１２４（複数の第２光源）からの光は、液晶パネル１２２に照射される。第２光源は特に限定されないが、本実施例では、第２光源として、発光ダイオード（ＬＥＤ）、レーザ光源、等の固体光源が使用される。具体的には、第２光源として、ＬＥＤが使用される。本実施例では、第１光源の発光量の上限は、第２光源の発光量の上限よりも高い。本実施例では、複数の分割領域（複数の第２光源）がマトリクス状に配置されている。なお、分割領域（第２
光源）の数、分割領域（第２光源）の配置、等は特に限定されない。例えば、複数の分割領域（複数の第２光源）が千鳥格子状に配置されていてもよい。
【００５０】
ＬＥＤ光源制御部１２５は、通信部１２６を介して画像出力装置１００から通知された発光量（第２光源の発光量）で第２光源が発光するように、ＬＥＤ光源部１２４の発光を制御する。本実施例では、画像出力装置１００において各第２光源の発光量が個別に決定され、画像出力装置１００からＬＥＤプロジェクタ１２０に、各第２光源の発光量が通知される。そして、ＬＥＤ光源制御部１２５は、画像出力装置１００から通知された発光量で各第２光源が発光するように、ＬＥＤ光源部１２４の発光を制御する。
【００５１】
通信部１２６は、画像出力装置１００との通信を行う。本実施例では、通信部１２６は、光源情報管理部１２３からＬＥＤプロジェクタ１２０の光源情報を取得し、画像出力装置１００との通信を行うことにより、取得した光源情報を画像出力装置１００に出力する。また、通信部１２６は、画像出力装置１００との通信を行うことにより、各第２光源の発光量の情報を画像出力装置１００から取得し、取得した情報をＬＥＤ光源制御部１２５に出力する。
【００５２】
図２（Ａ）〜２（Ｃ）を用いて、本実施例に係る光源情報について説明する。図２（Ａ）は、光源情報のデータブロックの一例を示す図である。図２（Ａ）に示すように、光源情報は、種類情報Ｄ２０１、上限光量情報Ｄ２０２、光量範囲情報Ｄ２０３、ローカルディミング可否フラグＤ２０４、及び、光源数情報Ｄ２０５を含む。
【００５３】
種類情報Ｄ２０１は、プロジェクタが有する光源の種類に関する情報である。
【００５４】
上限光量情報Ｄ２０２と光量範囲情報Ｄ２０３は、プロジェクタが有する光源の発光量の範囲に関する情報である。具体的には、上限光量情報Ｄ２０２は、プロジェクタが有する光源の発光量の上限を示す情報である。そして、光量範囲情報Ｄ２０３は、プロジェクタが有する光源の発光量の範囲（下限から上限）を示す情報である。光量範囲情報Ｄ２０３では、発光量の上限が１００［％］となるように発光量を正規化した値の範囲が示されている。
【００５５】
ローカルディミング可否フラグＤ２０４は、プロジェクタがローカルディミング機能を有するか否かに関する情報である。換言すれば、ローカルディミング可否フラグＤ２０４は、プロジェクタが有する光源の発光量を部分的に制御可能か否かに関する情報である。プロジェクタがローカルディミング機能を有する場合には、ローカルディミング可否フラグＤ２０４として「１」が設定され、プロジェクタがローカルディミング機能を有していない場合には、ローカルディミング可否フラグＤ２０４として「０」が設定される。
【００５６】
光源数情報Ｄ２０５は、プロジェクタが有する光源に対応する領域に関する情報である。本実施例では、光源数情報Ｄ２０５は、光源の数と光源の配置を示す情報である。プロジェクタが１つの光源のみを有する場合には、光源数情報Ｄ２０５として「−」が設定される。換言すれば、プロジェクタが１つの光源のみを有する場合には、光源数情報Ｄ２０５は設定されない。光源数情報Ｄ２０５＝「−」は、プロジェクタが投影領域全体に対応する１つの光源のみを有することを意味する。そして、水平方向Ｍ個且つ垂直方向Ｎ個のマトリクス状に配置されたＭ×Ｎ個の光源をプロジェクタが有する場合には、光源数情報Ｄ２０５として「（Ｍ，Ｎ）」が設定される。光源数情報Ｄ２０５＝「（Ｍ，Ｎ）」は、水平方向Ｍ個且つ垂直方向Ｎ個のマトリクス状に配置されたＭ×Ｎ個の分割領域によって投影領域が構成されており、且つ、Ｍ×Ｎ個の分割領域にそれぞれ対応するＭ×Ｎ個の光源をプロジェクタが有することを意味する。水平方向ｍ番目かつ垂直方向ｎ番目の光源は、水平方向ｍ番目かつ垂直方向ｎ番目の分割領域に対応する。
【００５７】
図２（Ｂ）は、ランププロジェクタ１１０の光源情報の一例を示す。上述したように、ランププロジェクタ１１０の第１光源は、ランプ光源である。そのため、図２（Ｂ）では、種類情報Ｄ２０１として「Ｌａｍｐ」が設定されている。第１光源の発光量の範囲は特に限定されないが、本実施例では、第１光源の発光量の範囲は、２８００〜４０００［ｌｍ］である。そして、発光量２８００［ｌｍ］は、発光量４０００［ｌｍ］の７０［％］の発光量である。そのため、図２（Ｂ）では、上限光量情報Ｄ２０２として「４０００」が設定されており、光量範囲情報Ｄ２０３として「７０−１００」が設定されている。本実施例では、ランププロジェクタ１１０は、ローカルディミング機能を有していない。そのため、図２（Ｂ）では、ローカルディミング可否フラグＤ２０４として「０」が設定されている。上述したように、ランププロジェクタ１１０は、投影領域全体に対応する１つの第１光源のみを有する。そのため、図２（Ｂ）では、光源数情報Ｄ２０５として「−」が設定されている。
【００５８】
図２（Ｃ）は、ＬＥＤプロジェクタ１２０の光源情報の一例を示す。上述したように、ＬＥＤプロジェクタ１２０の第２光源は、ＬＥＤである。そのため、図２（Ｃ）では、種類情報Ｄ２０１として「ＬＥＤ」が設定されている。第２光源の発光量の範囲は特に限定されないが、本実施例では、第２光源の発光量の範囲は、１００〜１０００［ｌｍ］である。そして、発光量１００［ｌｍ］は、発光量１０００［ｌｍ］の１０［％］の発光量である。そのため、図２（Ｃ）では、上限光量情報Ｄ２０２として「１０００」が設定されており、光量範囲情報Ｄ２０３として「１０−１００」が設定されている。本実施例では、ＬＥＤプロジェクタ１２０は、ローカルディミング機能を有する。そのため、図２（Ｃ）では、ローカルディミング可否フラグＤ２０４として「１」が設定されている。本実施例では、ＬＥＤプロジェクタ１２０は、水平方向６個且つ垂直方向４個のマトリクス状に配置された２４個の光源を有する。そのため、図２（Ｃ）では、光源数情報Ｄ２０５として「（６，４）」が設定されている。
【００５９】
なお、光源情報は上記情報に限られない。光源に対して実施可能な制御を把握することができれば、光源情報はどのような情報であってもよい。例えば、光源情報は、種類情報Ｄ２０１、上限光量情報Ｄ２０２、光量範囲情報Ｄ２０３、ローカルディミング可否フラグＤ２０４、及び、光源数情報Ｄ２０５の少なくともいずれかを含んでいなくてもよい。プロジェクタが有する光源の発光量の範囲に関する情報として、光量範囲情報Ｄ２０３のみが使用されてもよい。光量範囲情報Ｄ２０３において、正規化される前の値（発光量そのもの）の範囲が示されてもよい。光源数情報Ｄ２０５は、プロジェクタが有する光源に対応する領域を示す情報であってもよい。具体的には、光源数情報Ｄ２０５は、領域の始点座標、領域の終点座標、領域の位置座標、領域のサイズ（幅と高さ）、等を含む情報であってもよい。
【００６０】
図３を用いて、本実施例に係る投影システムのスタック投影処理の一例を説明する。図３は、本実施例に係る投影システムの処理フローの一例を示す。スタック投影処理は、ランププロジェクタ１１０とＬＥＤプロジェクタ１２０を用いたスタック投影を行う処理である。図３に示すように、スタック投影処理は、初期設定処理（Ｓ３０１〜Ｓ３０３）と投影処理（Ｓ３０４〜Ｓ３１３）を含む。初期設定処理は、スタック投影を実施する投影システムを構築するための処理（Ｓ３０１〜Ｓ３０３）である。投影処理は、元画像データに基づいてスタック投影を行う処理である。スタック投影処理の実行タイミング、初期設定処理の実行タイミング、投影処理の実行タイミング、等は特に限定されない。例えば、画像出力装置１００にランププロジェクタ１１０とＬＥＤプロジェクタ１２０とが接続されたタイミングで、スタック投影処理（初期設定処理および投影処理）が実行される。画像出力装置１００にランププロジェクタ１１０とＬＥＤプロジェクタ１２０とが接続された後、ユーザからの指示（スタック投影を行うための指示）に応じて、スタック投影処
理（初期設定処理および投影処理）が実行されてもよい。
【００６１】
初期設定処理について説明する。
【００６２】
まず、画像出力装置１００の通信部１０８が、ランププロジェクタ１１０とＬＥＤプロジェクタ１２０のそれぞれから光源情報を取得する（Ｓ３０１）。取得された光源情報は、システム制御部１０３によって記憶される。
【００６３】
次に、システム制御部１０３が、Ｓ３０１において取得された各光源情報を解析し、光量制御情報を生成する（Ｓ３０２）。本実施例では、ランププロジェクタ１１０の光源情報が図２（Ｂ）の光源情報であり、ＬＥＤプロジェクタ１２０の光源情報が図２（Ｃ）の光源情報である。この場合には、システム光量の下限が２９００（＝２８００＋１００）［ｌｍ］であり、システム光量の上限が５０００（＝４０００＋１０００）［ｌｍ］である。そして、複数の分割領域は、水平方向６個且つ垂直方向４個のマトリクス状に配置された２４個の分割領域である。そのため、システム光量の下限＝２９００［ｌｍ］、システム光量の上限＝５０００［ｌｍ］、及び、上記２４個の分割領域を示す光量制御情報が生成される。
【００６４】
そして、システム制御部１０３は、第１データ生成部１０６とランププロジェクタ１１０の対応を第１データ生成部１０６に通知し、第２データ生成部１０７とＬＥＤプロジェクタ１２０の対応を第２データ生成部１０７に通知する（Ｓ３０３）。
【００６５】
投影処理について説明する。なお、投影処理は、複数のフレームのそれぞれについて行われる。
【００６６】
まず、画像出力装置１００の画像生成部１０１が、表示対象の画像データから、投影処理の対象であるフレームの元画像データを取得（生成）する（Ｓ３０４）。なお、複数のフレームに対応する複数の元画像データが取得された後に、複数のフレームのそれぞれについてＳ３０５〜Ｓ３１３の処理が行われてもよい。
【００６７】
次に、特徴量取得部１０２が、Ｓ３０４において生成された元画像データから、当該元画像データの特徴量を取得する（Ｓ３０５）。そして、システム光量決定部１０４が、Ｓ３０２において生成された光量制御情報と、Ｓ３０４において取得された特徴量とに基づいて、システム光量を決定する（Ｓ３０６）。次に、プロジェクタ光量決定部１０５が、システム制御部１０３が記憶している各光源情報と、Ｓ３０５において決定されたシステム光量とに基づいて、第１光源の発光量と、各第２光源の発光量とを決定する（Ｓ３０７）。ここで、光源情報は、Ｓ３０１において取得された光源情報である。
【００６８】
Ｓ３０７の処理の具体例について、図４（Ａ）〜４（Ｄ），５（Ａ）〜５（Ｄ）を用いて説明する。図４（Ａ）は、元画像データの一例を示し、図４（Ｂ）は、図４（Ａ）の元画像データに基づいてシステム光量決定部１０４により決定されたシステム光量の一例を示す。図４（Ａ）において、元画像データの輝度は、輝度が低いほど黒色に近く且つ輝度が高いほど白色に近い色で示されている。
【００６９】
図４（Ａ）の元画像データは、元画像データの輝度が低い画像領域（暗部）のサイズが大きい。本実施例では、そのような元画像データを、暗部を優先すべき画像データとして用いる。「暗部を優先すべき画像データ」は、「暗部の階調性の高い表示が実現されるべき画像データ」とも言える。元画像データが、暗部を優先すべき画像データである場合には、図４（Ｃ）に示すように、プロジェクタ光量決定部１０５は、第１光源の発光量の下限２８００［ｌｍ］を、第１光源の発光量として決定する。そして、プロジェクタ光量決
定部１０５は、元画像データ（特徴量）と、第１光源の発光量の下限とに基づいて、各第２光源の発光量を決定する。具体的には、図４（Ｄ）に示すように、プロジェクタ光量決定部１０５は、複数の分割領域のそれぞれについて、システム光量（元画像データに応じた発光量）に対する第１光源の発光量の不足分が第２光源によって補われるように、第２光源の発光量を決定する。
【００７０】
図５（Ａ）は、元画像データの一例を示し、図５（Ｂ）は、図５（Ａ）の元画像データに基づいてシステム光量決定部１０４により決定されたシステム光量の一例を示す。図５（Ａ）において、元画像データの輝度は、輝度が低いほど黒色に近く且つ輝度が高いほど白色に近い色で示されている。
【００７１】
図５（Ａ）の元画像データは、元画像データの輝度が高い画像領域（明部）のサイズが大きい。本実施例では、そのような元画像データを、明部を優先すべき画像データとして用いる。「明部を優先すべき画像データ」は、「明部の階調性の高い表示が実現されるべき画像データ」とも言える。元画像データが、明部を優先すべき画像データである場合には、図５（Ｃ）に示すように、プロジェクタ光量決定部１０５は、第１光源の発光量の上限４０００［ｌｍ］を、第１光源の発光量として決定する。そして、プロジェクタ光量決定部１０５は、元画像データ（特徴量）と、第１光源の発光量の上限とに基づいて、各第２光源の発光量を決定する。具体的には、図５（Ｄ）に示すように、プロジェクタ光量決定部１０５は、複数の分割領域のそれぞれについて、システム光量に対する第１光源の発光量の不足分が第２光源によって補われるように、第２光源の発光量を決定する。システム光量が第１光源の発光量以下である分割領域については、第２光源の発光量の下限１０［ｌｍ］が第２光源の発光量として決定される。
【００７２】
上記処理を行った場合において、第１光源の発光量と第２光源の発光量との合計値として、システム光量よりも低い値が得られることがある。上記合計値がシステム光量よりも低い分割領域については、後段の処理（Ｓ３０８）において、元画像データの輝度を高める補正により、システム光量に対する上記合計値の不足に起因した投影輝度の変化が抑制される。
【００７３】
また、上記処理を行った場合において、第１光源の発光量と第２光源の発光量との合計値として、システム光量よりも高い値が得られることがある。上記合計値がシステム光量よりも高い分割領域については、後段の処理（Ｓ３０８）において、元画像データの輝度を低減する補正により、システム光量に対する上記合計値の超過に起因した投影輝度の変化が抑制される。
【００７４】
なお、Ｓ３０７の処理は、上記処理に限られない。例えば、以下の条件１，２が満たされるように、Ｓ３０７の処理として上記処理とは異なる処理が行われてもよい。元画像データに依存しない所定の発光量が、第１光源の発光量として使用されてもよい。そして、元画像データ（特徴量）と、第１光源の発光量とに基づいて、各第２光源の発光量が決定されてもよい。
条件１：元画像データの輝度が閾値よりも高い分割領域において、第１光源の発光量と第２光源の発光量との合計値が、第２光源の発光量の上限よりも高い。
条件２：元画像データの輝度が高い分割領域において、第１光源の発光量と第２光源の発光量との合計値が、元画像データの輝度が低い分割領域のそれに比べ高い。
【００７５】
また、元画像データが、暗部を優先すべき画像データであるか、明部を優先すべき画像データであるかの判断方法も特に限定されない。例えば、プロジェクタ光量決定部１０５
は、元画像データの輝度が閾値輝度よりも低い画素の数が閾値数よりも多い場合に、「元画像データが暗部を優先すべき画像データである」と判断してもよい。そして、それ以外の場合に、プロジェクタ光量決定部１０５は、「元画像データが明部を優先すべき画像データである」と判断してもよい。
【００７６】
プロジェクタ光量決定部１０５は、元画像データの輝度が閾値輝度よりも高い画素の数が閾値数よりも多い場合に、「元画像データが明部を優先すべき画像データである」と判断してもよい。そして、それ以外の場合に、プロジェクタ光量決定部１０５は、「元画像データが暗部を優先すべき画像データである」と判断してもよい。
【００７７】
プロジェクタ光量決定部１０５は、元画像データによって表された画像（元画像）に所定のオブジェクトが存在する場合に、「元画像データが、暗部を優先すべき画像データと明部を優先すべき画像データの一方である」と判断してもよい。そして、プロジェクタ光量決定部１０５は、元画像に所定のオブジェクトが存在しない場合に、「元画像データが、暗部を優先すべき画像データと明部を優先すべき画像データの他方である」と判断してもよい。プロジェクタ光量決定部１０５は、元画像データに対するエッジの検出結果、元画像データの輝度ヒストグラム、等に基づいて、元画像データの暗部を優先すべきか、元画像データの明部を優先すべきかを判断してもよい。
【００７８】
Ｓ３０７の次に、第１データ補正部１０６１により第１画像データが生成され、第２データ補正部１０７１により第２画像データが生成される（Ｓ３０８）。具体的には、第１データ補正部１０６１は、プロジェクタ光量決定部１０５から第１光源の発光量（Ｓ３０７において決定された発光量）の情報を取得する。そして、第１データ補正部１０６１は、第１光源の発光量に基づいて、第１画像の投影輝度が目標輝度に近づくように、元画像データを補正する。それにより、第１画像データが生成される。第２データ補正部１０７１は、プロジェクタ光量決定部１０５から各第２光源の発光量（Ｓ３０７において決定された発光量）の情報を取得する。そして、第２データ補正部１０７１は、各第２光源の発光量に基づいて、第２画像の投影輝度が目標輝度に近づくように、元画像データを補正する。それにより、第２画像データが生成される。
【００７９】
次に、第１データ出力部１０６２が、Ｓ３０８において生成された第１画像データをランププロジェクタ１１０に出力し、第２データ出力部１０７２が、Ｓ３０８において生成された第２画像データをＬＥＤプロジェクタ１２０に出力する（Ｓ３０９）。さらに、Ｓ３０９において、通信部１０８が、第１光源の発光量（Ｓ３０７において決定された発光量）をランププロジェクタ１１０に通知し、各第２光源の発光量（Ｓ３０７において決定された発光量）をＬＥＤプロジェクタ１２０に通知する。
【００８０】
そして、ランププロジェクタ１１０のランプ光源制御部１１５が、Ｓ３０９において通知された発光量（第１光源の発光量）で第１光源が発光するように、ランプ光源部１１４の発光を制御する（Ｓ３１０）。また、画像入力部１１１が、Ｓ３０９において出力された第１画像データを取得し、取得した第１画像データを液晶パネル１１２に出力する（Ｓ３１１）。それにより、液晶パネル１１２の変調率が、第１画像データに応じた変調率に制御される。その結果、投影領域に第１画像が表示される。
【００８１】
同様に、ＬＥＤプロジェクタ１２０のＬＥＤ光源制御部１２５が、Ｓ３０９において通知された発光量（各第２光源の発光量）で各第２光源が発光するように、ＬＥＤ光源部１２４の発光を制御する（Ｓ３１２）。また、画像入力部１２１が、Ｓ３０９において出力された第２画像データを取得し、取得した第２画像データを液晶パネル１２２に出力する（Ｓ３１３）。それにより、液晶パネル１２２の変調率が、第２画像データに応じた変調率に制御される。その結果、投影領域に第２画像が表示される。
【００８２】
Ｓ３１２とＳ３１３の処理は、Ｓ３１０とＳ３１１の処理と並列に行われる。そのため、第１画像と第２画像が投影面（投影領域）上で合成され、投影領域に合成画像を表示するスタック投影が実現される。
【００８３】
以上述べたように、本実施例によれば、発光量の上限が高い第１光源を有する第１投影装置と、複数の第２光源を有する第２投影装置とをスタック投影に用いる、という簡易な構成で高画質な画像が表示可能となる。具体的には、第１光源を有する第１投影装置を用いることにより、少ない台数の投影装置で高輝度な画像（合成画像）を表示することができる。また、第２投影装置の各第２光源の発光量を個別に制御することにより、高コントラストな画像（合成画像）を表示することができる。
【００８４】
また、本実施例では、明部を優先すべき画像を表示する場合に、暗部を優先すべき画像を表示する場合に比べ高い発光量に、第１光源の発光量が制御される。それにより、明部などについて、より高輝度な表示を実現することができる。具体的には、明部を優先すべき画像を表示する場合に、第１光源の発光量が上限に制御される。それにより、明部などについて、最大限に高い輝度での表示を実現することができる。
【００８５】
さらに、本実施例では、暗部を優先すべき画像を表示する場合に、明部を優先すべき画像を表示する場合に比べ低い発光量に、第１光源の発光量が制御される。それにより、暗部などについて、黒浮きがより抑制された表示を実現することができる。具体的には、暗部を優先すべき画像を表示する場合に、第１光源の発光量が下限に制御される。それにより、暗部などについて、黒浮きが最大限に抑制された表示を実現することができる。
【００８６】
なお、本実施例では、複数のプロジェクタに対応する複数のデータ生成部を画像出力装置が有する例を説明したが、これに限られない。例えば、画像出力装置が、複数のプロジェクタに対応する複数の処理（画像データの生成と画像データの出力）を時分割で行う１つのデータ生成部を有していてもよい。
【００８７】
＜実施例２＞
以下、本発明の実施例２について説明する。実施例１では、画像出力装置が、プロジェクタのための画像データの生成、各プロジェクタの発光量（光源の発光量）の決定、等を行う例を説明した。本実施例では、これらの処理が、投影システムが有する複数のプロジェクタのいずれかによって行われる例を説明する。なお、以下では、実施例１と異なる点（構成、処理、等）について詳しく説明し、実施例１と同様の点についての説明は省略する。
【００８８】
図６は、本実施例に係る投影システムの構成例を示す。図６に示すように、本実施例に係る投影システムは、画像出力装置６００、ランププロジェクタ６１０、及び、ＬＥＤプロジェクタ６３０を有する。
【００８９】
画像出力装置６００は、画像生成部６０１と画像出力部６０２を有する。画像生成部６０１は、実施例１（図１）の画像生成部１０１と同様の機能を有する。画像出力部６０２は、画像生成部６０１から出力された元画像データを、ランププロジェクタ６１０とＬＥＤプロジェクタ６３０に出力する。このように、本実施例では、ランププロジェクタ６１０とＬＥＤプロジェクタ６３０に対して同じ画像データが出力される。
【００９０】
ランププロジェクタ６１０は、画像入力部６１１、液晶パネル６１２、光源情報管理部６１３、光源部６１４、光源制御部６１５、及び、通信部６１６を有する。さらに、ランププロジェクタ６１０は、特徴量取得部６１７、システム制御部６１８、システム光量決
定部６１９、プロジェクタ光量決定部６２０、及び、データ補正部６２１を有する。ＬＥＤプロジェクタ６３０は、ランププロジェクタ６１０の構成と同様の構成を有する。以下では、同じプロジェクタの機能部間で行われる処理の説明において、プロジェクタを示す記載を省略する。
【００９１】
ランププロジェクタ６１０の液晶パネル６１２は、実施例１（図１）の液晶パネル１１２と同様の機能を有する。ＬＥＤプロジェクタ６３０の液晶パネル６１２は、実施例１の液晶パネル１２２と同様の機能を有する。ランププロジェクタ６１０の光源情報管理部６１３は、実施例１の光源情報管理部１１３と同様の機能を有する。ＬＥＤプロジェクタ６３０の光源情報管理部６１３は、実施例１の光源情報管理部１２３と同様の機能を有する。ランププロジェクタ６１０の光源部６１４は、実施例１のランプ光源部１１４と同様の機能を有する。ＬＥＤプロジェクタ６３０の光源部６１４は、実施例１の光源部１２４と同様の機能を有する。
【００９２】
画像入力部６１１は、画像出力装置６００から元画像データを取得し、取得した元画像データを特徴量取得部６１７とデータ補正部６２１とに出力する。通信部６１６は、実施例１の通信部１１６，１２６と同様に、他の装置との通信を行う。本実施例では、ランププロジェクタ６１０の通信部６１６は、ＬＥＤプロジェクタ６３０との通信を行い、ＬＥＤプロジェクタ６３０の通信部６１６は、ランププロジェクタ６１０との通信を行う。特徴量取得部６１７は、実施例１の特徴量取得部１０２と同様に、画像入力部６１１から出力された元画像データから、元画像データの特徴量を取得する。
【００９３】
システム制御部６１８は、ランププロジェクタ６１０とＬＥＤプロジェクタ６３０の一方をマスタープロジェクタ（第３投影装置）として決定する。そして、システム制御部６１８は、ランププロジェクタ６１０とＬＥＤプロジェクタ６３０の他方をスレーブプロジェクタ（第４投影装置）として決定する。マスタープロジェクタは、各種情報の送受信を主導するプロジェクタであり、スレーブプロジェクタは、マスタープロジェクタからの指示に応じて動作するプロジェクタである。本実施例では、ランププロジェクタ６１０とＬＥＤプロジェクタ６３０のうち、先に画像出力装置に接続されたプロジェクタＡのシステム制御部６１８が、プロジェクタＡをマスタープロジェクタとして決定する。そして、プロジェクタＡのシステム制御部６１８は、プロジェクタＡをマスタープロジェクタとして設定する。さらに、プロジェクタＡのシステム制御部６１８は、ランププロジェクタ６１０とＬＥＤプロジェクタ６３０のうち、後に画像出力装置に接続されたプロジェクタＢを、スレーブプロジェクタとして決定する。
【００９４】
なお、マスタープロジェクタとスレーブプロジェクタの決定方法は特に限定されない。例えば、ユーザからの指示に応じて、マスタープロジェクタとスレーブプロジェクタが決定されてもよい。マスタープロジェクタとスレーブプロジェクタは予め定められていてもよい。その場合には、マスタープロジェクタは、スレーブプロジェクタの処理（後述）が実行できなくてもよいし、スレーブプロジェクタは、マスタープロジェクタの処理（後述）が実行できなくてもよい。
【００９５】
マスタープロジェクタのシステム制御部６１８は、通信部６１６（マスタープロジェクタの通信部６１６）を介してスレーブプロジェクタに、スレーブプロジェクタの設定を指示する。スレーブプロジェクタのシステム制御部６１８は、マスタープロジェクタから通信部６１６（スレーブプロジェクタの通信部６１６）を介して上記指示を得ると、自身のプロジェクタをスレーブプロジェクタとして設定する。
【００９６】
また、マスタープロジェクタのシステム制御部６１８は、スレーブプロジェクタの光源情報管理部６１３が管理している光源情報を、スレーブプロジェクタから通信部６１６（
マスタープロジェクタの通信部６１６）を介して取得する。また、マスタープロジェクタのシステム制御部６１８は、マスタープロジェクタの光源情報管理部６１３が管理している光源情報を、マスタープロジェクタの光源情報管理部６１３から取得する。そして、マスタープロジェクタのシステム制御部６１８は、実施例１のシステム制御部１０３と同様に、取得した光源情報を解析し、光量制御情報を生成する。
【００９７】
マスタープロジェクタのシステム光量決定部６１９は、実施例１のシステム光量決定部１０４と同様に、元画像データに基づいてシステム光量を決定する。具体的には、システム光量決定部６１９は、システム制御部６１８によって生成された光量制御情報と、特徴量取得部６１７よって取得された特徴量とに基づいて、システム光量を決定する。
【００９８】
マスタープロジェクタのプロジェクタ光量決定部６２０は、実施例１のシステム光量決定部１０４と同様に、元画像データに基づいて第１光源の発光量と各第２光源の発光量とを決定する。具体的には、プロジェクタ光量決定部６２０は、システム制御部６１８によって取得された光源情報と、システム光量決定部６１９によって決定されたシステム光量とに基づいて、第１光源の発光量と各第２光源の発光量とを決定する。マスタープロジェクタのプロジェクタ光量決定部６２０は、マスタープロジェクタの光源について決定された発光量を、マスタープロジェクタのデータ補正部６２１と、マスタープロジェクタの光源制御部６１５とに通知する。また、マスタープロジェクタのプロジェクタ光量決定部６２０は、スレーブプロジェクタの光源について決定された発光量を、マスタープロジェクタの通信部６１６を介してスレーブプロジェクタに通知する。
【００９９】
ランププロジェクタ６１０の光源制御部６１５は、実施例１のランプ光源制御部１１５と同様の機能を有し、ＬＥＤプロジェクタ６３０の光源制御部６１５は、実施例１のＬＥＤ光源制御部１２５と同様の機能を有する。但し、本実施例では、マスタープロジェクタの光源制御部６１５は、マスタープロジェクタのプロジェクタ光量決定部６２０から通知された発光量に応じて、マスタープロジェクタの光源部６１４の発光を制御する。スレーブプロジェクタの光源制御部６１５は、マスタープロジェクタから通信部６１６（スレーブプロジェクタの通信部６１６）を介して通知された発光量に応じて、スレーブプロジェクタの光源部６１４の発光を制御する。
【０１００】
ランププロジェクタ６１０のデータ補正部６２１は、実施例１の第１データ補正部１０６１と同様の機能を有し、ＬＥＤプロジェクタ６３０のデータ補正部６２１は、実施例１の第２データ補正部１０７１と同様の機能を有する。但し、本実施例では、マスタープロジェクタのデータ補正部６２１は、マスタープロジェクタのプロジェクタ光量決定部６２０から通知された発光量に基づいて、マスタープロジェクタの画像入力部６１１から出力された元画像データを補正する。スレーブプロジェクタのデータ補正部６２１は、マスタープロジェクタから通信部６１６（スレーブプロジェクタの通信部６１６）を介して通知された発光量に基づいて、スレーブプロジェクタの画像入力部６１１から出力された元画像データを補正する。データ補正部６２１は、生成した画像データを液晶パネル６１２に出力する。
【０１０１】
なお、マスタープロジェクタの特徴量取得部６１７においてのみ特徴量の取得が行われてもよい。スレーブプロジェクタの特徴量取得部６１７において特徴量の取得が省略されてもよい。
【０１０２】
図７を用いて、本実施例に係る投影システムのスタック投影処理の一例を説明する。図７は、本実施例に係る投影システムの処理フローの一例を示す。図７に示すように、本実施例でも、スタック投影処理は、初期設定処理（Ｓ７０１〜Ｓ７０６）と投影処理（Ｓ７０７〜Ｓ７１８）を含む。以下では、画像出力装置６００に対してランププロジェクタ６
１０が接続された後、画像出力装置６００に対してＬＥＤプロジェクタ６３０が接続されたとする。
【０１０３】
初期設定処理について説明する。
【０１０４】
まず、ＬＥＤプロジェクタ６３０よりも先に、ランププロジェクタ６１０が、画像出力装置６００に接続される。そのため、ランププロジェクタ６１０のシステム制御部６１８が、ランププロジェクタ６１０がマスタープロジェクタであり、且つ、ＬＥＤプロジェクタ６３０がスレーブプロジェクタである、と判断する。そして、ランププロジェクタ６１０のシステム制御部６１８が、ランププロジェクタ６１０をマスタープロジェクタとして設定する（Ｓ７０１）。
【０１０５】
次に、ランププロジェクタ６１０のシステム制御部６１８が、ＬＥＤプロジェクタ６３０に、スレーブプロジェクタの設定を指示する（Ｓ７０２）。この指示は、例えば、画像出力装置６００にＬＥＤプロジェクタ６３０が接続されたタイミングで行われる。そして、ＬＥＤプロジェクタ６３０のシステム制御部６１８が、Ｓ７０２において出力された上記指示に応じて、ＬＥＤプロジェクタ６３０をスレーブプロジェクタとして設定する（７０３）。
【０１０６】
次に、ランププロジェクタ６１０のシステム制御部６１８が、ＬＥＤプロジェクタ６３０の光源情報管理部６１３が管理している光源情報を、ＬＥＤプロジェクタ６３０から取得する（Ｓ７０４）。また、ランププロジェクタ６１０のシステム制御部６１８が、ランププロジェクタ６１０の光源情報管理部６１３が管理している光源情報を、ランププロジェクタ６１０の光源情報管理部６１３から取得する（Ｓ７０５）。取得された光源情報は、ランププロジェクタ６１０のシステム制御部６１８によって記憶される。そして、ランププロジェクタ６１０のシステム制御部６１８が、Ｓ７０４において取得された光源情報と、Ｓ７０５において取得された光源情報とを解析し、光量制御情報を生成する（Ｓ７０６）。
【０１０７】
投影処理について説明する。なお、投影処理は、複数のフレームのそれぞれについて行われる。
【０１０８】
まず、画像出力装置６００の画像生成部６０１が、表示対象の画像データから、投影処理の対象であるフレームの元画像データを取得（生成）する（Ｓ７０７）。次に、画像出力部６０２が、Ｓ７０７において生成された元画像データを、ランププロジェクタ６１０とＬＥＤプロジェクタ６３０とに出力する（Ｓ７０８）。
【０１０９】
そして、ランププロジェクタ６１０の特徴量取得部６１７が、Ｓ７０７において生成された元画像データから、当該元画像データの特徴量を取得する（Ｓ７０９）。なお、ランププロジェクタ６１０の特徴量取得部６１７は、画像出力装置６００から画像入力部６１１（ランププロジェクタ６１０の画像入力部６１１）を介して元画像データを取得する。
【０１１０】
そして、ランププロジェクタ６１０のシステム光量決定部６１９が、Ｓ７０６において生成された光量制御情報と、Ｓ７０９において取得された特徴量とに基づいて、システム光量を決定する（Ｓ７１０）。次に、ランププロジェクタ６１０のプロジェクタ光量決定部６２０が、第１光源の発光量と各第２光源の発光量とを決定する（Ｓ７１１）。第１光源の発光量と各第２光源の発光量とは、ランププロジェクタ６１０のシステム制御部６１８が記憶している各光源情報と、Ｓ７１０において決定されたシステム光量とに基づいて決定される。ここで、光源情報は、Ｓ７０４とＳ７０５において取得された光源情報である。
【０１１１】
そして、ランププロジェクタ６１０のプロジェクタ光量決定部６２０は、各第２光源の発光量（Ｓ７１１において決定された発光量）を、ＬＥＤプロジェクタ６３０に通知する（Ｓ７１２）。また、ランププロジェクタ６１０のプロジェクタ光量決定部６２０は、第１光源の発光量を、ランププロジェクタ６１０の光源制御部６１５と、ランププロジェクタ６１０のデータ補正部６２１とに出力する。ここで、第１光源の発光量は、Ｓ７１１において決定された発光量である。
【０１１２】
次に、ランププロジェクタ６１０のデータ補正部６２１が、ランププロジェクタ６１０のプロジェクタ光量決定部６２０から通知された発光量に基づいて、Ｓ７０７において生成された元画像データを補正する（Ｓ７１３）。それにより、第１画像データが生成される。ここで、発光量は、第１光源の発光量であり、Ｓ７１１において決定された発光量である。なお、ランププロジェクタ６１０のデータ補正部６２１は、画像出力装置６００から画像入力部６１１（ランププロジェクタ６１０の画像入力部６１１）を介して元画像データを取得する。
【０１１３】
そして、ランププロジェクタ６１０の光源制御部６１５が、ランププロジェクタ６１０の光源部６１４の発光を制御する（Ｓ７１４）。ランププロジェクタ６１０のプロジェクタ光量決定部６２０から通知された発光量（第１光源の発光量；Ｓ７１１において決定された発光量）で第１光源が発光するように、ランププロジェクタ６１０の光源部６１４の発光が制御される。また、ランププロジェクタ６１０のデータ補正部６２１が、Ｓ７１３において生成された第１画像データを、ランププロジェクタ６１０の液晶パネル６１２に出力する（Ｓ７１５）。それにより、ランププロジェクタ６１０の液晶パネル６１２の変調率が、第１画像データに応じた変調率に制御される。その結果、投影領域に第１画像が表示される。
【０１１４】
同様に、ＬＥＤプロジェクタ６３０のデータ補正部６２１が、Ｓ７１２においてランププロジェクタ６１０から通知された発光量に基づいて、Ｓ７０７において生成された元画像データを補正する（Ｓ７１６）。それにより、第２画像データが生成される。ここで、発光量は、第２光源の発光量であり、Ｓ７１１において決定された発光量である。なお、ＬＥＤプロジェクタ６３０のデータ補正部６２１は、画像出力装置６００から画像入力部６１１（ＬＥＤプロジェクタ６３０の画像入力部６１１）を介して元画像データを取得する。
【０１１５】
そして、ＬＥＤプロジェクタ６３０の光源制御部６１５が、ＬＥＤプロジェクタ６３０の光源部６１４の発光を制御する（Ｓ７１７）。ランププロジェクタ６１０から通知された発光量（各第２光源の発光量；Ｓ７１１において決定された発光量）で各第２光源が発光するように、ＬＥＤプロジェクタ６３０の光源部６１４の発光が制御される。また、ＬＥＤプロジェクタ６３０のデータ補正部６２１が、Ｓ７１６において生成された第２画像データを、ＬＥＤプロジェクタ６３０の液晶パネル６１２に出力する（Ｓ７１８）。それにより、ＬＥＤプロジェクタ６３０の液晶パネル６１２の変調率が、第２画像データに応じた変調率に制御される。その結果、投影領域に第２画像が表示される。
【０１１６】
Ｓ７１３〜Ｓ７１５の処理は、Ｓ７１６〜Ｓ７１８の処理と並列に行われる。そのため、第１画像と第２画像が投影面（投影領域）上で合成され、投影領域に合成画像を表示するスタック投影が実現される。
【０１１７】
なお、ランププロジェクタ６１０がスレーブプロジェクタであり、且つ、ＬＥＤプロジェクタ６３０がマスタープロジェクタである場合には、ランププロジェクタ６１０の上記処理と同様の処理が、ＬＥＤプロジェクタ６３０によって行われる。そして、ＬＥＤプロ
ジェクタ６３０の上記処理と同様の処理が、ランププロジェクタ６１０によって行われる。
【０１１８】
以上述べたように、本実施例によれば、実施例１と同様に、発光量の上限が高い第１光源を有する第１投影装置と、複数の第２光源を有する第２投影装置とをスタック投影に用いる、という簡易な構成で高画質な画像が表示可能となる。また、本実施例によれば、実施例１の画像出力装置の処理の一部が、プロジェクタによって行われる。それにより、画像出力装置の処理負荷、コスト、等を低減することができる。さらに、実施例１の画像出力装置の複数の処理が複数の装置によって行われることにより、画像表示に要する時間の短縮が期待できる（処理速度の向上）。
【０１１９】
なお、本実施例では、各プロジェクタが自身のための画像データを生成する例を説明したが、複数のプロジェクタのための複数の画像データが、複数のプロジェクタのいずれかによって生成されてもよい。複数のプロジェクタのための複数の画像データが１台のプロジェクタによって生成されれば、画像データを生成しないプロジェクタの処理負荷、コスト、等を低減することができる。複数のプロジェクタのための複数の画像データが複数のプロジェクタによって生成されれば、画像表示に要する時間の短縮が期待できる（処理速度の向上）。
【０１２０】
なお、実施例１，２では、プロジェクタ間の同期処理について省略したが、初期設定処理において同期処理が行われてもよい。同期処理により、例えば、プロジェクタ間で画像表示（投影）のタイミングが一致するように、各処理のタイミングが調整される。
【０１２１】
なお、実施例１，２の装置の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０１２２】
なお、実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【０１２３】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１２４】
１１０，６１０：ランププロジェクタ  １１２，１２２，６１２：液晶パネル
１１４：ランプ光源部  １２０，６３０：ＬＥＤプロジェクタ
１２４：ＬＥＤ光源部  ６１４：光源部
【図１】
2018063326.tif 000003
【図２】
2018063326.tif 000004
【図３】
2018063326.tif 000005
【図４】
2018063326.tif 000006
【図５】
2018063326.tif 000007
【図６】
2018063326.tif 000008
【図７】
2018063326.tif 000009